【手続補正書】
【提出日】平成18年1月23日(2006.1.23)
【手続補正１】
【補正対象書類名】明細書
【補正対象項目名】特許請求の範囲
【補正方法】変更
【補正の内容】
【特許請求の範囲】
【請求項１】  少なくとも、インターネットに通信可能に接続された印刷装置と、前記インターネットまたは前記インターネットに接続された前記印刷装置に通信可能に接続される携帯電子機器と、を備えた携帯電話印刷システムにおいて、
前記携帯電子機器は、個人識別情報および機密印刷の要否、認証情報を含む機密印刷情報を保持し、
前記印刷装置は、あらかじめ機密印刷情報が登録され、
前記印刷装置は、前記携帯電子機器の前記個人識別情報を、同じく携帯電子機器で作成、取得した情報に付加し、かつ前記インターネットを介してダウンロードした情報に付加して印刷する場合、当該携帯電子機器の機密印刷情報と前記印刷装置に登録されている機密印刷情報とを前記認証情報を用いて照合し、一致したときに印刷を実行すると共に、前記情報に付随する広告による課金減額処理を実行することを特徴とする携帯電話印刷システム。
【請求項２】  少なくとも、インターネットに通信可能に接続された印刷装置と、前記インターネットまたは前記インターネットに接続された前記印刷装置に通信可能に接続される携帯電子機器と、を備えた携帯電話印刷システムにおいて、
前記携帯電子機器は、個人識別情報および機密印刷の要否、認証情報を含む機密印刷情報を保持し、
前記印刷装置は、あらかじめ複数の機密印刷情報が登録され、
前記印刷装置は、前記携帯電子機器の前記個人識別情報を、同じく携帯電子機器で作成、取得した情報に付加し、かつ前記インターネットを介してダウンロードした情報に付加して印刷する場合、当該携帯電子機器の機密印刷情報と前記印刷装置に登録されている複数の機密印刷情報とを前記認証情報を用いて照合し、前記複数の機密印刷情報のいずれか一つに適合する機密印刷情報による印刷を実行すると共に、前記情報に付随する広告による課金減額処理を実行することを特徴とする携帯電話印刷システム。
【請求項３】  少なくとも、インターネットに通信可能に接続された印刷装置と、前記インターネットまたは前記インターネットに接続された前記印刷装置に通信可能に接続される携帯電子機器と、を備えた携帯電話印刷システムにおいて、
前記携帯電子機器は、個人識別情報および機密印刷の要否、認証情報を含む複数の機密印刷情報を保持し、かつ前記複数の機密情報を選択可能に表示し、
前記印刷装置は、あらかじめ機密印刷情報が登録され、
前記印刷装置は、前記携帯電子機器の前記個人識別情報を、同じく携帯電子機器で作成、取得した情報に付加し、かつ前記インターネットを介してダウンロードした情報に付加して印刷する場合、当該携帯電子機器で選択された機密印刷情報と前記印刷装置に登録されている機密印刷情報とを前記認証情報を用いて照合し、当該照合が一致したときに機密印刷情報による印刷を実行すると共に、前記情報に付随する広告による課金減額処理を実行することを特徴とする携帯電話印刷システム。
【請求項４】  前記携帯電子機器は、インターネットに繋がれた前記印刷装置のネットワークインタフェース部に接続されていることを特徴とする請求項１、２または３に記載の携帯電話印刷システム。
【請求項５】  前記携帯電子機器および前記印刷装置は、それぞれインターネットに接続されていることを特徴とする請求項１、２または３に記載の携帯電話印刷システム。
【手続補正２】
【補正対象書類名】明細書
【補正対象項目名】００１１
【補正方法】変更
【補正の内容】
【００１１】
【課題を解決するための手段】
上記の目的を達成するために、請求項１にかかる携帯電話印刷システムにあっては、少なくとも、インターネットに通信可能に接続された印刷装置と、前記インターネットまたは前記インターネットに接続された前記印刷装置に通信可能に接続される携帯電子機器と、を備えた携帯電話印刷システムにおいて、前記携帯電子機器は、個人識別情報および機密印刷の要否、認証情報を含む機密印刷情報を保持し、前記印刷装置は、あらかじめ機密印刷情報が登録され、前記印刷装置は、前記携帯電子機器の前記個人識別情報を、同じく携帯電子機器で作成、取得した情報に付加し、かつ前記インターネットを介してダウンロードした情報に付加して印刷する場合、当該携帯電子機器の機密印刷情報と前記印刷装置に登録されている機密印刷情報とを前記認証情報を用いて照合し、一致したときに印刷を実行すると共に、前記情報に付随する広告による課金減額処理を実行するものである。
【手続補正３】
【補正対象書類名】明細書
【補正対象項目名】００１２
【補正方法】変更
【補正の内容】
【００１２】
この発明によれば、携帯電子機器から印刷装置に接続し、携帯電子機器に内蔵されている個人識別情報を、同じく携帯電子機器で作成、取得した情報に付加し、かつンターネットを介してダウンロードした情報に付加して印刷する場合に、携帯電子機器からの機密印刷情報と印刷装置に登録されている機密印刷情報とを認証情報を用いて照合し、一致したときに印刷を実行することにより、複数の印刷が集中したときなどにおいて確実に当該ユーザへの印刷供給が行なえ、かつ、広告情報に関する課金減額を実行することにより、広告内容に応じた減額が可能になると共に、広告主にユーザ情報を所定の手段で通知することにより、広告主に利用頻度やユーザ情報をフィードバックすることが可能になる。
【手続補正４】
【補正対象書類名】明細書
【補正対象項目名】００１３
【補正方法】変更
【補正の内容】
【００１３】
また、請求項２にかかる携帯電話印刷システムにあっては、少なくとも、インターネットに通信可能に接続された印刷装置と、前記インターネットまたは前記インターネットに接続された前記印刷装置に通信可能に接続される携帯電子機器と、を備えた携帯電話印刷システムにおいて、前記携帯電子機器は、個人識別情報および機密印刷の要否、認証情報を含む機密印刷情報を保持し、前記印刷装置は、あらかじめ複数の機密印刷情報が登録され、前記印刷装置は、前記携帯電子機器の前記個人識別情報を、同じく携帯電子機器で作成、取得した情報に付加し、かつ前記インターネットを介してダウンロードした情報に付加して印刷する場合、当該携帯電子機器の機密印刷情報と前記印刷装置に登録されている複数の機密印刷情報とを前記認証情報を用いて照合し、前記複数の機密印刷情報のいずれか一つに適合する機密印刷情報による印刷を実行すると共に、前記情報に付随する広告による課金減額処理を実行するものである。
【手続補正５】
【補正対象書類名】明細書
【補正対象項目名】００１４
【補正方法】変更
【補正の内容】
【００１４】
この発明によれば、携帯電子機器から印刷装置に接続し、携帯電子機器に内蔵されている個人識別情報を、同じく携帯電子機器で作成、取得した情報に付加し、かつンターネットを介してダウンロードした情報に付加して印刷する場合に、携帯電子機器の機密印刷情報と印刷装置に登録されている複数の機密印刷情報とを認証情報を用いて照合し、複数の機密印刷情報のいずれか一つに適合する機密印刷情報による印刷を実行することにより、複数の印刷が集中したときなどにおいて確実に当該ユーザへの印刷供給が行なえると共に、ユーザグループ間で同じパスワードとユーザＩＤを持つ他のメンバーによる印刷が可能になり、かつ、広告情報に関する課金減額を実行することにより、広告内容に応じた減額が可能になると共に、広告主にユーザ情報を所定の手段で通知することにより、広告主に利用頻度やユーザ情報をフィードバックすることが可能になる。
【手続補正６】
【補正対象書類名】明細書
【補正対象項目名】００１５
【補正方法】変更
【補正の内容】
【００１５】
また、請求項３にかかる携帯電話印刷システムにあっては、少なくとも、インターネットに通信可能に接続された印刷装置と、前記インターネットまたは前記インターネットに接続された前記印刷装置に通信可能に接続される携帯電子機器と、を備えた携帯電話印刷システムにおいて、前記携帯電子機器は、個人識別情報および機密印刷の要否、認証情報を含む複数の機密印刷情報を保持し、かつ前記複数の機密情報を選択可能に表示し、前記印刷装置は、あらかじめ機密印刷情報が登録され、前記印刷装置は、前記携帯電子機器の前記個人識別情報を、同じく携帯電子機器で作成、取得した情報に付加し、かつ前記インターネットを介してダウンロードした情報に付加して印刷する場合、当該携帯電子機器で選択された機密印刷情報と前記印刷装置に登録されている機密印刷情報とを前記認証情報を用いて照合し、当該照合が一致したときに機密印刷情報による印刷を実行すると共に、前記情報に付随する広告による課金減額処理を実行するものである。
【手続補正７】
【補正対象書類名】明細書
【補正対象項目名】００１６
【補正方法】変更
【補正の内容】
【００１６】
この発明によれば、携帯電子機器から印刷装置に接続し、携帯電子機器に内蔵されている個人識別情報を、同じく携帯電子機器で作成、取得した情報に付加し、かつンターネットを介してダウンロードした情報に付加して印刷する場合に、携帯電子機器で選択された機密印刷情報と印刷装置に登録されている機密印刷情報とを認証情報を用いて照合し、当該照合が一致したときに機密印刷情報による印刷を実行することにより、複数の印刷が集中したときなどにおいて確実に当該ユーザへの印刷供給が行なえると共に、ユーザグループ間で同じパスワードとユーザＩＤを持つ他のメンバーによる印刷が可能になり、かつ、広告情報に関する課金減額を実行することにより、広告内容に応じた減額が可能になると共に、広告主にユーザ情報を所定の手段で通知することにより、広告主に利用頻度やユーザ情報をフィードバックすることが可能になる。
【手続補正８】
【補正対象書類名】明細書
【補正対象項目名】００４８
【補正方法】変更
【補正の内容】
【００４８】
また、ステップＳ５８において複数の機密印刷情報をネットワークインタフェース部１０４あるいは一対一インタフェース部１０５を介して携帯電子機器１１０から取得し、複数の機密印刷情報を操作部１０３に表示する（ステップＳ６７）ここで、この表示で選択した「機密印刷」をＢ’とする。続いて、内部に保持されている機密印刷情報ＢとＢ’が一致している（Ｂ＝Ｂ’）か否かを判断し（ステップＳ６８）、機密印刷情報Ｂ＝Ｂ’であればステップＳ６９に進み、機密印刷情報ＢとＢ’とが一致していなければステップＳ７１に進む。
【手続補正９】
【補正対象書類名】明細書
【補正対象項目名】００４９
【補正方法】変更
【補正の内容】
【００４９】
【発明の効果】
以上説明したように、本発明にかかる携帯電話印刷システム（請求項１）によれば、携帯電子機器から印刷装置に接続し、携帯電子機器に内蔵されている個人識別情報を、同じく携帯電子機器で作成、取得した情報に付加し、かつンターネットを介してダウンロードした情報に付加して印刷する場合に、携帯電子機器からの機密印刷情報と印刷装置に登録されている機密印刷情報とを認証情報を用いて照合し、一致したときに印刷を実行することにより、ダウンロード後に時間が経過したときや複数の印刷が集中したときなどにおいて確実にかつ安全に当該ユーザへの印刷物が供給することができ、かつ、広告情報に関する課金減額を実行するため、広告内容に応じた減額ができる。
【手続補正１０】
【補正対象書類名】明細書
【補正対象項目名】００５０
【補正方法】変更
【補正の内容】
【００５０】
また、本発明にかかる携帯電話印刷システム（請求項２）によれば、携帯電子機器から印刷装置に接続し、携帯電子機器に内蔵されている個人識別情報を、同じく携帯電子機器で作成、取得した情報に付加し、かつンターネットを介してダウンロードした情報に付加して印刷する場合に、携帯電子機器の機密印刷情報と印刷装置に登録されている複数の機密印刷情報とを認証情報を用いて照合し、複数の機密印刷情報のいずれか一つに適合する機密印刷情報による印刷を実行するので、ダウンロードして時間が経過した場合や複数の印刷が集中したときなどにおいて確実にかつ安全に当該ユーザへの印刷供給を行なうことができ、さらにユーザグループ間で同じパスワードとユーザＩＤを持つ他のメンバーによる印刷ができ、かつ、広告情報に関する課金減額を実行することにより、さらに広告内容に応じた減額を行なうことができる。
【手続補正１１】
【補正対象書類名】明細書
【補正対象項目名】００５１
【補正方法】変更
【補正の内容】
【００５１】
また、本発明にかかる携帯電話印刷システム（請求項３）によれば、携帯電子機器から印刷装置に接続し、携帯電子機器に内蔵されている個人識別情報を、同じく携帯電子機器で作成、取得した情報に付加し、かつンターネットを介してダウンロードした情報に付加して印刷する場合に、携帯電子機器で選択された機密印刷情報と印刷装置に登録されている機密印刷情報とを認証情報を用いて照合し、当該照合が一致したときに機密印刷情報による印刷を実行するので、ダウンロードして時間が経過した場合や複数の印刷が集中したときなどにおいて確実にかつ安全に当該ユーザへの印刷供給が行なうことができ、さらにユーザグループ間で同じパスワードとユーザＩＤを持つ他のメンバーによる印刷を行なうことができ、かつ、広告情報に関する課金減額を実行するので、さらに広告内容に応じた減額が行なえる。